(57)【要約】ユーザに支給する携帯用装置（２０）を有する、位置に基づくユーザの行動の記録のためのシステムであって、前記装置（２０）は、関連付けられた固有の識別子と、前記装置（２０）を検出し、前記装置（２０）の固有の識別子を取得するように構成された複数の検出装置（３０）とを有し、各検出装置（３０）は、前記装置（２０）の検出により所定の位置にいるユーザの位置を記録するように構成され、前記システムは、１つ以上の位置に向けられた複数の行動センサー（５０、６０、７０、８０）を更に有し、各行動センサー（５０、６０、７０、８０）は、前記装置（２０）の検出により各位置で行動を記録するように構成される。【特許請求の範囲】
【請求項１】
ユーザに支給する携帯用装置を有する、位置に基づくユーザの行動の記録のためのシステムであって、
前記装置は、関連付けられた固有の識別子と、前記装置を検出し、前記装置の固有の識別子を取得するように構成された複数の検出装置とを有し、
各検出装置は、前記装置の検出により所定の位置にいる前記ユーザの位置を記録するように構成され、
前記システムは、１つ以上の位置に向けられた複数の行動センサーを更に有し、
各行動センサーは、前記装置の検出により各位置で行動を記録するように構成されるシステム。
【請求項２】
請求項１に記載のシステムであって、
前記検出装置及び行動センサーと通信するコンピュータシステムを更に有し、
各検出装置は、ユーザの位置の前記記録を前記コンピュータシステムに通信するように構成され、
前記行動センサーは、記録済みの行動を前記コンピュータシステムに通信するように構成されるシステム。
【請求項３】
請求項２に記載のシステムであって、
前記コンピュータシステムが、前記検出装置により通信されたユーザの位置の前記記録に基づいて、前記通信された記録済みの行動から記録済みのユーザの行動を編集するように構成されるシステム。
【請求項４】
請求項３に記載のシステムであって、
前記コンピュータシステムが、後で見るために前記編集物を前記ユーザに提示するように構成されるシステム。
【請求項５】
請求項４に記載のシステムであって、
前記編集物が、映像、電子メール、ＤＶＤ、プリントアウト、又はコンピュータが読み取り可能な媒体上のデータを含むセットから選択されたフォーマットで提示されるシステム。
【請求項６】
請求項４又は５に記載のシステムであって、
前記編集物が料金と引き換えに提示されるシステム。
【請求項７】
請求項１ないし６のうち１項に記載のシステムであって、
位置決定システムを有する移動検出装置を更に有し、
前記移動検出装置は、前記装置を検出し、前記装置の前記固有の識別子を取得するように構成され、
前記移動検出装置は、前記位置決定システムから決定された位置で前記ユーザの位置を記録するように構成されるシステム。
【請求項８】
請求項１ないし７のうち１項に記載のシステムであって、
前記行動センサーが、ビデオカメラと、静止画カメラと、マイクロフォンと、バイオセンサーと、知覚取得装置とを有するセットから選択されるシステム。
【請求項９】
請求項１ないし８のうち１項に記載のシステムであって、
通信が無線通信ネットワークを介して実行されるシステム。
【請求項１０】
請求項９に記載のシステムであって、
前記通信ネットワークがブルートゥースであるシステム。
【請求項１１】
請求項１ないし１０のうち１項に記載のシステムであって、
前記検出装置とセンサーが、テーマパーク内の乗物及び／又はアトラクションに向けられたシステム。
【請求項１２】
位置に基づくユーザの行動を記録する方法であって、
携帯用装置をユーザに支給し、前記ユーザが関連付けられた固有の識別子を有し、
検出装置を備える前記装置を監視し、前記検出装置は決められた位置で前記装置を検出するように構成され、
検出された装置の検出装置で前記固有の識別子を取得し、
前記位置において装置を検出することにより、前記位置に向けられた行動センサーを起動させ、
ユーザの行動の編集のために、前記固有の識別子に関連する前記行動センサーからの出力を記録することを有する方法。
【発明の詳細な説明】
【０００１】
本発明は、ユーザの位置に基づき、ユーザの行動を記録する方法とシステムに関する。本発明は、テーマパークや、休日のリゾートや、他の活動のリゾートにおいて用いるために、特に適したものである。
【０００２】
ユーザトラッキングとビデオ監視技術の使用は、一般的にオフィスやセキュリティ環境に限定される。研究環境においては、Ｈｅｗｌｅｔｔ  Ｐａｃｋａｒｄの“Ｃｏｏｌ  Ｔｏｗｎ”システムのような多様なシステムがテストされてきた。前記システムは、（ａ）中央トラッキングシステムを使用してユーザの位置を見つける、又は、（ｂ）ユーザが設置されたインフラからユーザの場所を確認することを可能にする。
【０００３】
“ビッグブラザー”というプライバシーの懸念は、有用性の点で関連する利益と、ユーザ装置の簡単さやコストや人目につかないことを備えていても、中央トラッキングシステムの成功を制限するものであった。
【０００４】
テーマパークや、スキーリゾートや他の活動センターを訪問する場合に、ユーザの唯一の目的は、できるだけ多くの楽しみとくつろぎ達することである。多くのユーザは、訪問の思い出を得たいと思い、別の方法で販売されている一般的な贈り物やポストカードに対して、その思い出を個人的に自然のままにしたい場合には、しばしば、高価なカメラと映像記録装置を運ぶことを余儀なくされる。多くの場合に、テーマパークやスキーリゾートの環境は、カメラ及び映像記録装置を失ったり、破損されたり、または単に運ぶことが不便であることがわかるという特定の問題がある。
【０００５】
テーマパークやそれと同様のものは、乗物に乗るユーザに対する写真システムを提供しているが、ユーザは、写真が印刷されるのを待ち、前記特定の乗物で撮影されたすべての写真から自分自身の写真を特定し、代金を支払い、収集して、その日の残りの間中それを持ち歩かなければならない。このことは、訪問者の１日の動きを混乱させる。エネルギッシュな乗物においては、録音はほとんど得られない。
【０００６】
ユーザの位置を見つけるために、Ｌｏ−Ｑにより開発されたシステムが用いられている。Ｌｏ−Ｑシステムは、各訪問グループに貸し出される小さな無線装置(Ｑ−Ｂｏｔと称される)に依存する。基地局のネットワークを通じて、各乗物が訪問され得るときに、装置に最新情報が与えられる。情報が小さい画面に表示され、ユーザが乗物の近くのキオスクの近くでＱ−Ｂｏｔを持つことにより、乗物の場所を予約することができる。（乗物のオペレータによってシステムに供給される）待ち行列のサイズと、（例えば、身長や年齢制限に基づいて）グループが乗り得る乗物の詳細とについての情報を用いて、システムが時間帯を割り当てる。後で戻るときに、訪問者はより短い優先待ち行列に加わる。乗物の入り口のそばの受信機が、訪問者のＱ−Ｂｏｔと通信する。訪問者が乗物に乗ることを許可されると、乗物のオペレータのために青信号が点滅する。加えて、Ｑ−Ｂｏｔがパークから持ち出されると、アラームが鳴り出し得る。子供を見つけるサービスは、簡単なディスプレイのないタグで可能になる。
【０００７】
本発明の一形態にしたがって、ユーザに支給する携帯用装置を有する、位置に基づくユーザの行動の記録のためのシステムが提供され、前記装置は、関連付けられた固有の識別子と、前記装置を検出し、前記装置の固有の識別子を取得するように構成された複数の検出装置とを有し、各検出装置は、前記装置の検出により所定の位置にいる前記ユーザの位置を記録するように構成され、前記システムは、１つ以上の位置に向けられた複数の行動センサーを更に有し、各行動センサーは、前記装置の検出により各位置で行動を記録するように構成される。
【０００８】
前記システムは、前記検出装置及び行動センサーと通信するコンピュータシステムを更に有し、各検出装置は、ユーザの位置の前記記録を前記コンピュータシステムに通信するように構成され、前記行動センサーは、記録済みの行動を前記コンピュータシステムに通信するように構成される。
【０００９】
前記コンピュータシステムは、前記検出装置により通信されたユーザの位置の前記記録に基づいて、前記通信された記録済みの行動から記録済みのユーザの行動を編集するように構成され得る。望ましくは、前記コンピュータシステムは、後で見るために前記編集物をユーザに提示するように構成される。前記編集物は、映像、電子メール、ＤＶＤ、プリントアウト、又はコンピュータが読み取り可能な媒体上のデータを含むセットから選択されたフォーマットで提示され得る。前記編集物は、料金と引き換えに提示され得る。
【００１０】
位置決定システムを有する移動検出装置が使用され、前記移動検出装置は、前記装置を検出し、前記装置の前記固有の識別子を取得するように構成され、前記移動検出装置は、前記位置決定システムから決定された位置でユーザの位置を記録するように構成され得る。
【００１１】
前記行動センサーは、ビデオカメラと、静止画カメラと、マイクロフォンと、バイオセンサーと、知覚取得装置とを有するセットから選択され得る。
【００１２】
通信は、無線通信ネットワークを介して実行され得る。前記通信ネットワークはブルートゥースである場合がある。
【００１３】
望ましくは、前記検出装置とセンサーは、テーマパーク内の乗物及び／又はアトラクションに向けられる。
【００１４】
本発明の他の形態によると、携帯用装置をユーザに支給し、前記ユーザが関連付けられた固有の識別子を有し；検出装置を備える前記装置を監視し、前記検出装置は決められた位置で前記装置を検出するように構成され；検出された装置の検出装置で前記固有の識別子を取得し；前記位置において装置を検出することにより、前記位置に向けられた行動センサーを起動させ；ユーザの行動の編集のために、前記固有の識別子に関連する前記行動センサーからの出力を記録することを有する、位置に基づくユーザの行動を記録する方法が提供される。
【００１５】
本発明の例が、一例としてのみ、添付の図面を参照して詳細に述べられる。
【００１６】
図１は、本発明による検出ゾーンを組み入れたテーマパークの設計図である。
【００１７】
テーマパーク１０を訪問すると、ユーザは、複数の固有の識別装置２０（複数の前記装置が、一例として個々のエンティティ、それぞれ２０ａ−２０ｇとして示される）の１つを支給される。各装置２０は、持ち運ばれるか、身に付けられる。前記装置２０を支給するときに、ユーザの詳細が中央サーバ４０のデータベース４５に蓄積される。ユーザの詳細は、前記装置２０の固有の識別子に関連付けられる。テーマパーク１０の全体に渡って、検出装置のネットワーク３０ａ−３０ｆが、ＲＦ技術を介して、訪問者に持ち運ばれる、又は身に付けられる装置２０の存在を検知することができるように配置される。
【００１８】
前記装置２０から取得されたデータにより、前記検出装置３０は、前記装置２０を認識し、それをデータベース４５に関連付けて、ユーザのデータを取得することが可能になる。例えば、前記装置２０は、前記装置２０に関連付けられた固有の識別子の片方向のコネクションレスのＲＦブロードキャストを、範囲内の検出装置３０に単に送信し得る。その他、前記装置２０は、メートル範囲の検知装置内のパッシブなＲＦｉｄ技術を使用し得る。さらに進んだ装置が、ユーザの入出力、例えばＰＤＡのような機能を提供し、ローカルＲＦリンクと同様にＧＳＭやＧＰＲＳ等のようなネットワーク接続の他の選択肢を有し得る。
【００１９】
前記装置２０の固有の識別子からユーザを識別し、前記装置２０を検出する検出装置３０を識別することにより、前記中央サーバ４０は、パーク１０内のユーザの位置を発見することができる。
【００２０】
発見されると、前記検出装置３０につながれた及び／又はユーザの特定の位置に向けられたセンサー装置５０−８０の範囲を介して、ユーザの行動を監視することが行われ得る。前記センサー装置５０−８０は、主に音声及び映像素材の記録に向けられ、映像取得装置５０と、静止画取得装置６０と、音声取得装置７０とを有し得る。他の装置８０が、ユーザの装置２０に組み入れられ、又はユーザに支給され、ユーザの装置２０が近いこと起因して、検出装置３０により起動されると、心拍数や刺激率や呼吸率のようなユーザのセンサーのデータを取得し得る。前記装置５０−８０により取得されたセンサーのデータは、後で前記中央サーバ４０によりユーザの位置及び行動の記録に関連付けられ得る。前記構成により、その後の社会的行動において、ユーザの心拍数のトレースが、映像の記録とともに、又は乗物の特定の時点の最も驚いた経験のハイライトとともに示されることを可能にする。
【００２１】
前記装置５０−８０からのデータは、前記中央サーバ４０に中継され、前記中央サーバは、前記データを前記データベース４５に追加する。前記データから、前記サーバ４０はユーザの経路、又は少なくとも‘ＲＦの照準’の連続を推測することが可能になる。そして、前記情報は、特定のユーザの動作と行動について記録された素材の個人的なモンタージュを編集するために使用され得る。
【００２２】
蓄積されたユーザの位置データの情報は、個人的価値と商業的価値の双方がある場合がある。従って、システムのオペレータは、公表されたプライベート・ポリシーを順守し、データベースや、接続されたネットワークや、アプリケーションのための信頼できる安全なシステムを配置することを期待される。
【００２３】
位置の記録と関連する音声及び映像センサーのデータの蓄積との双方を終了し、消去するための多様なポリシーが用いられ、管理可能な制限内と費用対効果の制限内で保持され得る。しかし、前記環境又は関連する場所に再訪問する経験を増すために、前記データを保持することについて価値が見られる。前記のリテンションが、蓄積されたパーソナライズ化を通じて、最訪問と顧客のロイヤリティを増すために使用され得る。
【００２４】
以前の訪問や、識別された好みの乗物や、新しい乗物や、以前の訪問で逃した乗物や、家族又は友達又はそれと同様の者により取られた経路に基づく経路／日程表の提案によって、再訪問の増大が提供され得る。
【００２５】
検出装置３０がパーク１０の全てをカバーする必要はない。各ユーザとその経路の正確な位置を提供するために、完全なカバーが最適であるが、関心を引くことが発生した場合にユーザの存在を取得するために、検出装置３０が主要な関心を引く領域の近くに設置されていればよい。環境の従業員、ロボット、パーク／乗物のアトラクションの装置、又はパーク１０を移動する輸送装置によって運ばれる複数の移動検出装置３５により、検出装置３０の固定されたネットワークが増大され得る。前記移動検出装置３５は、ユーザの発見と、位置の記録又はセンサーのデータとを前記中央サーバ４０に転送するための、無線又は衛星アップリンクを用い得る。その他、前記移動検出装置３５は、定期的にデータと記録を前記データベース４５に入れ得る。前記移動検出装置３５は、自分の位置と、次には近くのユーザの位置とを修正する補助的な位置決めシステムを使用し得る。
【００２６】
前記‘関心を引く領域’は、ユーザが監視されることを望む環境を言い、その例は、テーマパークや、スキーリゾートや、ウォーターパークである。本願では、小さな閉じた環境を参照して説明されるが、本発明は、町や市のようなより大きい領域をカバーするように、容易に拡張され得る。
【００２７】
図２は、本発明に従って用いる、位置に基づくユーザのデータの取得と記録のための構成の説明図である。
【００２８】
前記中央サーバ４０は、センサーのデータベース１１０とユーザの位置データベース１２０とを有するデータベースを管理するデータベースサーバ１００を有する。前記データベースサーバ１００に管理されるデータベース１１０、１２０は、前述のデータベース４５を構成する。ユーザ情報は、ユーザデータベース１３０に保存され、環境情報とサービス情報とイベント情報は、パークデータベース１４０に保存される。検出装置３０、３５のネットワークが、前記中央サーバ４０と通信し、発見されたユーザの装置２０についてのデータを提供する。
【００２９】
ユーザの装置２０が検出装置３０によって発見されると、前記検出装置３０は、その検出装置の固有の識別子とともに（それは送信自体におけるいくつかの識別子によって暗に送信され得るが）、前記装置２０の固有の識別子と、いつ前記装置が発見されたかを示すタイムスタンプとを、前記中央サーバ４０に送信する。ユーザの位置のデータベースに記録するため、前記中央サーバ４０は、前記検出装置３０によって送信された前記位置のデータを前記データベースサーバ１００に送信する。位置のデータが受信されると、又は、要求されるその後に取得されると、前記ユーザデータベース１３０の固有の識別子の関連からユーザの身元が得られ得る。望ましくは、装置２０が範囲内に入るとき、又は範囲から出るときに、検出装置３０が前記中央サーバ４０に警報を出す。検出装置３０が、定期的に範囲内の全装置２０又は前記検出装置３０のリストを送信する場合は、要求に応じて範囲内の全装置２０のリストを作る。
【００３０】
センサー装置５０−８０で取得されたセンサーのデータは、望ましいセンサーのデータベース１１０に記録される。
【００３１】
前記中央サーバ４０は、各データベースからユーザデータと、関連するセンサーのデータと、位置のデータとを取得するため、前記データベースサーバ１１０に接続される出力インタフェース１５０を有する。
【００３２】
前記のシステムに基づいて、新たなサービスや、土産の販売や、収益の流れの提供を可能にする複数の技術について説明する。
【００３３】
検出装置３０のネットワークは、例えば、“ビーコン（Ｂｅａｃｏｎｓ）”とも呼ばれるブルートゥースのセンサー装置のネットワークである可能性がある。それは、興味を引く領域の至る所に配置され、他のブルートゥースの装置の存在を検出する。この場合、前記装置２０は、ブルートゥース技術を組み入れる。このことにより、システムはユーザにより保持される又は持ち運ばれる装置を１０メートルの範囲内で正確に見つけることが可能になる。そのほか、ＲＦライト（ジグビー）又は無線ＬＡＮ（８０２．１１）のような、他の無線技術が用いられ得る。オプションで、いくつかの追加（例えば、タイミング計算）で、提供された位置情報の正確性が改善される。ブルートゥース装置２０は、そのブルートゥースの装置ＩＤを“衝突ビーコン（ｓｐｌｉｔ  ｂｅａｃｏｎ）”を照会する無線に開放する“発見可能な”モードである場合があるが（同一出願人による英国特許出願番号００２０１０１．２において説明される）、ピコネット（ｐｉｃｏｎｅｔ）のアプリケーションに参加しない場合がある。さらに安全なユーザの識別が要求される場合は、装置認証プロトコルに続いて、更に複雑であるが、高速照会／発見が使用され得る。
【００３４】
例えば、電池を節約するために８０２．１１で用いられるように、動作中の装置からの一定のＲＦの放出を、ポーリングで近くの装置を発見する検出装置と同期することにより、ユーザの装置及び検出装置の片方向の又は相互の発見がさらに効率的に行われ得る。
【００３５】
図３を参照すると、訪問者又は訪問者のグループが、位置又はそれに関連した宿泊施設に到着し、ブルートゥースや、ＲＦライト／ジグビーや、ＲＦｉｄタグや、８０２．１１のような、短距離ＲＦ技術を備えた貸出用の１つ以上のハンドセットを借りる、又は無料で支給される。前記装置２０は、システムのインフラである検出装置３０の数メートルで検出され、位置を見つけられ得る。
【００３６】
訪問者又はグループの身元と広い特徴が、前記中央サーバ４０に登録され得る（家族の大きさや、性別や、年齢等）。前記中央データベース４５、又は、他の環境又は関連する環境の許可されたデータベースにおいて、関係者による以前の訪問の照合が行われる。
【００３７】
図４を参照すると、導入のシステムと与えられた適切な提案により、グループの好みが求められると、オプションで計画段階が提供され得る。このことは、グループが取る予定の、又は、例えばナビゲーションの補助を提供する予定の経路の予想を用いて、提案又は電子クーポンの対象を絞るときに使用され得る。
【００３８】
訪問者の登録を通じて、乗った乗物や、その（又は同様の関連する）リゾートへの以前の訪問でシステムに記録された社会的な遭遇のような、そのグループが受けた経験とともに、何らかの以前の訪問が前記中央サーバ４５から呼び出される。前記データは、最近の訪問からの環境の変化を宣伝し、新しい経験又は挑戦を提案するために用いられることができ、このことは、スキルのレベル又はシステムに以前に記録された経験に基づく。前記提案システムは、顧客のロイヤリティと、最訪問と、前記環境の所有者の回転率を高めることができる。そのシステムはまた、前記環境への訪問中に、位置に基づく提案や電子クーポンの対象を絞るときに役立ち得る。現在、前記環境の個々の訪問者の詳細な経験とふるまいを記録するシステムは非常に高くて、又はうっとうしくて配置ができない。
【００３９】
図５を参照すると、どのユーザが特定の乗物にいつ乗っているかを自動的に検出し、乗物に乗っているユーザの写真やビデオを撮影し、オプションで、録音（車内の会話や悲鳴等）を行い、ユーザのＩＤとタイムスタンプとを前記記録に記すために、本システムが使用され得る。ユーザは乗物の後に写真を得るために待つ必要はなく、その写真が後で届けられ得る。その他、音声と映像の記録は、移動装置を用いて身元を判明し、関連するホテルの出口又は奥で集められ得る。ユーザは、写真を購入するかどうか、又はその決定を延期するかどうかを決定する乗物に乗った直後に、画像を見る場合がある。その他、帰宅後、ユーザは、テーマパークのウェブサイトから画像及び／又は録音をダウンロードし得る。
【００４０】
前記処理を自動化し、新たな形式の素材を提示することから、土産の販売の増加が生じるだろう。
【００４１】
図６を参照すると、本システムは、写真ブース又は写真スポットで、ユーザ（群）の存在を認識し、自動的なカウントダウンの警告に適切に先導されて、自動的に写真を撮影し得る。そして、前記写真は、ユーザのタグＩＤとともに中央コンテンツデータベース４５に蓄積され、ユーザ（群）は、その後になってその写真にアクセスし得る。ユーザはカメラや写真を持ち歩く必要はない。
【００４２】
グループ写真の参加者又は特定の時間に一緒に乗物に乗った人の身元が記録され得る。従って、本システムは、訪問者の社会的なグループ分けと、第三者である他の訪問者と近接していることとを追跡し得る。このことは、その後に社会的なゲームの設計に用いられ、又は、例えば、近い経験（時間又は場所）を共有して、位置追跡データの共有に合意した第三者を紹介するサービスとして用いられる。前記社会的なサービスから新たな収益が生まれ得る。
【００４３】
図７を参照すると、カメラマンや訪問記者やビデオカメラマンのような前記環境を移動する従業員は、前記装置２０を運ぶ又は身に付ける近くの訪問者の存在と身元を自動的に検出する移動検出装置３５を備え得る。指向性ＲＦアンテナが方向の円錐体を限定するために用いられ、感度が訪問者の記録に関してさらに正確に適切な範囲に設定され得る。前記従業員は、著名者であったり、著名なキャラクターとしての服装をした人であったりする。前記従業員は、他の更に煩わしく、又は高価な位置システム（ＧＰＳ等）を使用し、常にパーク１０における位置を定め得る。従って、前記位置データが音声や映像の記録に追加され、固定された検出装置のインフラの外の場所をカバーするように、訪問者の追跡を拡張し得る。
【００４４】
前記従業員は、選択的に近くの訪問者を記録することができ、その結果の記録は、従業員のＲＦ検出の範囲内で、時間と場所と訪問者の身元によって自動的にタグ付けされ得る。そして、前記記録は、前記中央データベース４５に（即時の無線アップリンクを介して、又は特設の音声／映像転送局で）転送され、ユーザのタグＩＤとともに蓄積され、それにより、ユーザは後から音声や映像や写真の記録にアクセスし得る。この場合もまた、ユーザはカメラや写真を持ち歩く必要はない。後の販売のために、又は顧客のロイヤリティと再訪問の可能性を高めるために（この場合もまた回転率の増加を生み出す）、新たな形の貴重な経験や、豊かな思い出や特別の出会いが得られる可能性がある。
【００４５】
本システムは、ユーザの最近の履歴の資格の記録を自動的に保持するが、これは、セキュリティの目的で使用され得る。例えば、ユーザがあるアイテムを盗まれた場合、ユーザの動きを再トレースし、盗難が生じた時点まで戻って探し、犯人を発見することが可能になる。本システムはまた、ユーザが持ち運んでいたものをどこでなくしたかを見つけるためにも使用され得る。
【００４６】
このことは、子供が行方不明になるときに特に有益であり、その子供の経路を調査し、その子供が他の人によって接近されたかどうかを決定することが可能になる。このことは、親が子供を監視できなくても、本システムが行うという安心感を親に与える。同様に、事件が発生した場合に、後からこれを再生し、原因を明らかにして責任を割り当てることに役立つ。
【００４７】
図８を参照すると、本システムは、ユーザの行動のモンタージュを自動的に編集し、ユーザがお互いに、友達と、家族とその経験を共有できるように、その日の訪問の終わりに、又は後日にそれを提示する。
【００４８】
その日の‘回想’又は‘スキーの後の集い’の再生活と、グループの異なる経験の比較は、非常に楽しく、関連するリゾート宿泊施設や、公的な又は私的な集合場所における社会的な相互作用を刺激し得る。本システムはまた、移動する従業員により、又はユーザが参加した乗物の特定の時点で撮影された全ての写真を自動的に編集し得る。このことは、例えば、その日の最も楽しい乗物のような、自動化されたコンテストの運営を可能にし、前記環境におけるイベントや挑戦の間に、他のユーザのスキルや反応と比較することを可能にする。前記新たな‘回想’サービスが、前記環境の所有者の新たな収益を見込むことができる。
【００４９】
音声／映像の土産は自動的にＣＤに（可能性のあるユーザの編集の後に）焼き付けられ、又は、ユーザが家に持ち帰るようにビデオテープにされ、友達や家族に容易に郵送又は電子メールされる、又は安全なウェブサイトに公表される。テーマパークの場合には、このことにより、ユーザが乗物に乗ることを示し、ユーザが経路を再トレースすることを可能にする。スキーリゾートの場合には、このことにより、ユーザが降下の映像場面を見ることを可能にする。前記の素材は、前記環境の所有者によって提供され、ユーザの経路と経験に関連するコンテンツ及び前後関係の情報と容易に編集され得る。例えば、前記情報は、テーマパークで乗った乗物や、スキー滑走が行われた時点の気象情報や、ユーザに同行する人について（その人が位置データの共有に同意した場合）である場合がある。そして、ユーザは個人に合わせた情報素材と音声／映像の土産を購入し、これにより、新たな収益の流れを提供し得る。このことは、後で見るためにユーザが残って画像又は映像を取得する現在の解法に比較して有利である。
【００５０】
前記環境を通じて、乗物の料金又は購入は、登録の前記装置２０によって提供されるユーザの固有の識別子を使用して、中央で累積され得る。中央課金システムは、各提供について個別に支払いをすることに比べて、売上を増加することが知られている。
【００５１】
前記ＲＦ位置決定システムが設置されると、前述のものよりその他多数の有益な用途が可能であり、例えば、ユーザの装置（例えば、ブレスレットのタグ）を有する迷子の位置を見つけたり、グループの集会を容易にしたり、さらに進んだユーザ装置で同じ仲間のメンバー間の通信リンクを確立したり、特別な提供又はクーポン等を電子的に受信したりする。
【００５２】
本願で説明する通り、一定期間にわたって位置を監視することによってユーザの行動を記録するシステムに基づいて、本発明は多くの新たな概念とサービスを記述する。前記サービスは、ユーザがあらかじめ計画する又は後で行動を思い出すことを希望するテーマパークや同様の環境（市、スキー、又は活動のリゾート）で、１日を過ごすことに基づく。ユーザは、テーマパーク中に配置されたビーコンのインフラによって位置が決められ得る小さな装置を持ち運ぶ。本システムは、ユーザの存在や動きを検出し、ユーザの行動を記録する追加の技術（ビデオカメラやオーディオ）を使用し得る。それは、固定される場合があり、又は前記環境を移動する従業員に持ち運ばれる場合がある。本システムは、ユーザの最近の行動のまとめを編集し、それを後になってユーザに提示し、ユーザに最近の行動を提供し得る。ユーザの経路とサービスの提供とを知ることに基づき、特に、活動のリゾートとその地域の宿泊施設又はくつろぐ場所との間に関係して、いくつかの新しいビジネスの方法が提供される。それには、土産の自動的な編集物を売ることや、対象が絞られた電子クーポンを発行することや、社会的なゲームや、紹介サービスや、宝くじや、社会的なイベント（その日のベスト、最も楽しい状況の勝者や、その日の乗物等）を容易にすることを含む。
【００５３】
主としてソフトウェアに基づく実施又は制御された実施について定義したが、熟練した読者は、前述の多くの機能的特徴が同様にハードウェア又はソフトウェアとハードウェアの組み合わせにおいて実施され得ることがわかるだろう。
【００５４】
本発明の開示を読むことにより、他の改良が技術的に熟練した人に明白になる。前記の改良は、通信及び監視システム、及び／又はデータネットワークアクセス装置、及びその構成部分、及び本願で説明した特徴の代わり又はそれに加えて使用され得るものの設計と製造と使用において、既知の他の特徴を含み得る。
【図面の簡単な説明】
【００５５】
【図１】本発明で用いる検出ゾーンを組み入れたテーマパークの設計図である。
【図２】本発明に従って用いる、位置に基づくユーザのデータの取得と記録のための構成の説明図である。
【図３】本発明の多様な形態によるシステムの動作を描いた図である。
【図４】本発明の多様な形態によるシステムの動作を描いた図である。
【図５】本発明の多様な形態によるシステムの動作を描いた図である。
【図６】本発明の多様な形態によるシステムの動作を描いた図である。
【図７】本発明の多様な形態によるシステムの動作を描いた図である。
【図８】本発明の多様な形態によるシステムの動作を描いた図である。
【図２】
2004537111.tif 000002
【国際公開パンフレット】
2004537111.tif 000003
2004537111.tif 000004
2004537111.tif 000005
2004537111.tif 000006
2004537111.tif 000007
2004537111.tif 000008
2004537111.tif 000009
2004537111.tif 000010
2004537111.tif 000011
2004537111.tif 000012
2004537111.tif 000013
2004537111.tif 000014
2004537111.tif 000015
2004537111.tif 000016
2004537111.tif 000017
2004537111.tif 000018
2004537111.tif 000019
2004537111.tif 000020
2004537111.tif 000021
【国際調査報告】
2004537111.tif 000022
2004537111.tif 000023